Podtech/llm-jp-corpus-v4-ja_patent huggingface dataset:
(57)【要約】【課題】これまで提供、考案されてきた奇門遁甲の盤情報は、吉凶情報のみを掲載するに留まり、奇門遁甲で重要な天盤・八門・応期を識別するには、漢字で表示された盤を読み解くしかなかった。さらに紙面の制約から、奇門遁甲で多用される時盤が扱われていない。【解決手段】極座標チャート形式の奇門遁甲  時盤において、方位区分が東西南北の八方位を用い、時間区分が奇数時間を用い、この２つを組み合わせた極座標に用いる。さらに極座標チャート放射軸の目盛りが吉凶の程度を、要素塗りつぶし色が天盤の内容を、極座標チャート外周部に表示したインジケーター色が八門の内容を、極座標チャート外周部に表示した日時情報が応期を表示する。【選択図】図１
2016000129.tif 000002
【特許請求の範囲】
【請求項１】
８つの方位区分と、奇数時間ごとの時間区分を組み合わせた極座標軸を有する極座標チャート形式の奇門遁甲  時盤
【請求項２】
放射軸の目盛りが吉凶の程度を、要素塗りつぶし色が天盤を、極座標チャート外周部に表示したインジケーター色が八門を、日時情報が応期を表示した極座標チャート形式の奇門遁甲  時盤
【発明の詳細な説明】
【技術分野】
【０００１】
本発明は、東洋占術の奇門遁甲において使用される時盤の内容と意味を、色と数字で極座標チャート形式で表現し、漢字を用いない一枚のチャートで複数の時盤の表示を可能としたことを特徴とする表示方法に関する。
【背景技術】
【０００２】
東洋占術の奇門遁甲では、導出された結果は漢字を幾何学的に配置し、単位時間毎に作成された盤によって表現する。盤の作成方法は流派により若干異なるが、天盤・地盤・九星・八門・九宮・八神の６要素を組み合わせて構成される方法が一般的に知られている。盤は年、月、日、時間ごとに制作され、奇数時間ごとに制作される時盤が多用される。奇門遁甲においては、天盤を方位使用目的に合致させ、八門では吉門（生門・開門・休門・景門）を選ぶことを指導している。さらに方位使用した効果が出現する日時を応期と呼び、その応期の日時に方位使用目的にあった行為行動を行うことを指導している。この天盤・八門・応期を目的に合わせて適切に選ぶことが、奇門遁甲を有効活用するポイントであるが、そのためには、漢字を読む必要があること、盤の内容を解釈できる知識が必要であること、希望に沿った内容を探すため複数の盤を調査するのに多大な時間が必要であること、といった問題点がある。この問題点を解消するため、完成された盤情報に注釈を加えたもの（非特許文献１）が出版され、導出結果の概要を色や符号で識別可能とする技術（特許文献１、特許文献２）が考案されている。
【先行技術文献】
【特許文献】
【０００３】
【特許文献１】特開２００５−１２４６４０号公報
【特許文献２】平３−２３０１号公報
【非特許文献】
【０００４】
【非特許文献１】東洋五術運命学協会版  遁甲ポケット便覧  株式会社香草社
【発明の概要】
【発明が解決しようとする課題】
【０００５】
しかしながら、これまで提供、考案されてきた方法は、吉凶情報のみを掲載するに留まり、天盤・八門・応期を適切に選択するには、漢字で表示された盤を読み解くしか方法がなかった。
【０００６】
さらにこれまで提供、考案されてきた方法では時盤を表示するには大量の紙面が必要となり経済性が劣るため、時盤情報が扱われることがなかった。
【課題を解決するための手段】
【０００７】
以上の課題を解決するために、本発明にかかる奇門遁甲  時盤は、方位区分が東西南北の八方位を用い、時間区分が奇数時間を用い、この２つを組み合わせた極座標チャート形式であることを特徴とする。
【０００８】
更に本発明にかかる奇門遁甲  時盤は、極座標チャート放射軸の目盛りが吉凶の程度を、要素塗りつぶし色が天盤の内容を、極座標チャート外周部に表示したインジケーター色が八門の内容を、極座標チャート外周部に表示した日時情報が応期を表示した、極座標チャート形式であることを特徴とする。
【発明の効果】
【０００９】
本発明によれば、専門知識が無く漢字を読まなくとも、奇門遁甲で多用する時盤の把握が可能となる。
【００１０】
更に、希望条件との一致不一致の判別が視覚的に容易であるため、希望に沿った内容を短時間で探すことが出来る。
【図面の簡単な説明】
【００１１】
【図１】本発明に関わる極座標チャートの説明図である。
【発明を実施するための形態】
【実施例】
【００１２】
この発明の一実施形態を、図１に示す。奇門遁甲によって導出された時盤の情報を、表示させた事例である。極座標軸では方位区分２ａが８方向（東・南東・南・南西・西・北西・北・北東）、時間区分２ｂが奇数時間（１時、３時、５時、、、２３時）となっており、時盤６枚分の情報が表示されている。
【００１３】
放射軸は目盛りを１０段階に設定し、任意の方位における任意の時間が持つ吉凶の程度を表示している。放射軸目盛りの中央が吉凶の中心を意味し、中心から外周側に塗りつぶし要素が伸びるほど吉作用が強く、中心から内周側に塗りつぶし要素が伸びるほど凶作用が強いことを意味する。この吉凶の程度は、方位ごとの吉凶を段階化したものである。
【００１４】
要素塗りつぶし色は１０種類を設定し、任意の方位における時間の方位が何に向いているのかを表示している。この塗りつぶし色は、天盤の１０要素（甲尊・乙奇・丙奇・丁奇・戊儀・己儀・庚儀・辛儀・壬儀・癸儀）を表現している。
【００１５】
チャート外側のインジケーター３は４色を設定し、任意の方位における任意の時間の吉凶が、どんな展開をしていくのかを表示している。このインジケーター色は、八門のうち吉門と呼ばれる４要素（生門・開門・休門・景門）を表現している。
【００１６】
チャート外側の日時情報は日付と時間を表示し、任意の方位における任意の時間の吉凶が、何日の何時に効果を発揮するのかを表示している。この日時情報、すなわち応期は、時盤の内容から専用の計算方法によって導かれるものである。
「実施形態の効果」
この実施形態によると、盤の情報が色と文字で表示され、漢字を読まなくても内容が判別可能となっている。さらに多数の時盤情報を視覚的に識別可能となっている。これにより、専門知識が無くても漢字を読まなくても、奇門遁甲の実践的使用が可能となる。
【符号の説明】
【００１７】
１    極座標チャート
２ａ  極座標軸  方位区分
２ｂ  極座標軸  時間区分
３    要素塗りつぶし
４    インジケーター
５    日時情報
【図１】
2016000129.tif 000003
(57)【要約】【課題】かばんを持つとき、重さによる負担がかからないように、二本の支持軸の横軸にかばんを掛けるフックを設けたかばんラクラク棒を提供する。【解決手段】二本の支持軸の横軸（１）の一端にフック（２）を設け、反対の一端はＴ字（４）にし、そこにグリップ（５）を設ける。縦軸（３）は、折りたためて伸縮ができ、かばんを外さずに移動ができるように設けたかばんラクラク棒を特徴とする。【選択図】図１
2016000182.tif 000002
【特許請求の範囲】
【請求項１】
二本の支持軸の横軸（１）にかばんを掛けるフック（２）を設け、反対の横軸の一端には、かばんを前で支持する際につかめるようＴ字（４）にする。
二本の支持軸の縦軸（３）は、伸縮できるようにして高さ調節を可能にし、かばんをフックに掛けたまま移動する際には、縮めて折りたためるようにした。
Ｔ字部にグリップ（５）を取り付け、移動時に持てるように設けたかばんラクラク棒。
【発明の詳細な説明】
【技術分野】
【０００１】この発明は、二本の支持軸の横軸にかばんを掛けるフックを設けたかばんラクラク棒に関するものである。
【背景技術】
【０００２】従来、かばんは、左右一方の手で持つか、肩に掛けるかのどちらかだった。
【先行技術分野】
【特許文献】
【０００３】
【発明の概要】
【発明が解決しようとする課題】
【０００４】これは、次のような欠点があった。
従来、かばんを持って立っているときには、左右一方の手で持つか、肩に掛けるかであった。そのため、かばんの重さによる負担が大きく、それが原因で全身のバランスが悪くなり、肩こり・腰痛・身体の歪みが生じることが多かった。
本発明は、以上のような欠点をなくすためになされたものである。
【課題を解決するための手段】
【０００５】二本の支持軸の横軸（１）の一端にかばんを掛けるフック（２）を設け、縦軸（３）は折りたため伸縮できるようにして高さ調節する。横軸の角のＴ字部（４）には、グリップ（５）を取り付ける。
本発明は、以上の構成よりなるかばんラクラク棒である。
【発明の効果】
【０００６】かばんをフックに掛けることにより、横軸をかるく握って支持するだけで、かばんの重さによる身体の負担がなくなる。よって、肩こり・腰痛・身体の歪み・全身疲労などの症状が改善される。
【図面の簡単な説明】
【０００７】
【図１】本発明の斜視図である。
【図２】本発明の斜視図である。
【発明を実施するための形態】
【０００８】以下、本発明を実施するための形態について説明する。
二本の支持軸の横軸（１）の一端にかばんを掛けるフック（２）を設け、反対の一端はＴ字にして身体の前でも支持できるようにする。縦軸（３）は、伸縮でき高さ調節を可能にする。そして、かばんを外さずそのまま移動できるように縮んで折りたたみができる。横軸のＴ字部（４）には、移動の際に持つグリップ（５）を取り付ける。
本発明は、以上のような構造である。
これを使用するときは、かばんをフックに掛け、支持軸の横軸を握り、倒れないよう少しの力で支持していればよい。
【符号の説明】
【０００９】１．横軸
２．かばんを掛けるフック
３．縦軸
４．横軸の角のＴ字部
５．グリップ
【図１】
2016000182.tif 000003
【図２】
2016000182.tif 000004
(57)【要約】【課題】  地盤への支柱の埋設を迅速容易に行うことができる支柱の固定方法を提供する。【解決手段】  掘削した土壌に固化材および水を供給して撹拌することにより地盤改良体３０を形成するステップと、未硬化の地盤改良体３０に支柱４０の脚部４０ａを埋め込んだ状態で支柱４０を保持具１０により保持し、支柱４０を起立状態に維持するステップと、地盤改良体３０の固化後に保持具１０による支柱４０の保持を解除するステップとを備える支柱の固定方法である。【選択図】  図１
2016000925.tif 000002
【特許請求の範囲】
【請求項１】
掘削した土壌に固化材および水を供給して撹拌することにより地盤改良体を形成するステップと、
未硬化の前記地盤改良体に支柱の脚部を埋め込んだ状態で前記支柱を保持具により保持し、前記支柱を起立状態に維持するステップと、
前記地盤改良体の固化後に前記保持具による前記支柱の保持を解除するステップとを備える支柱の固定方法。
【発明の詳細な説明】
【技術分野】
【０００１】
本発明は、支柱の固定方法に関し、より詳しくは、建造物を構築する支柱の脚部を地盤に埋設して固定する支柱の固定方法に関する。
【背景技術】
【０００２】
支柱の脚部を地盤改良体に固定する方法として、例えば特許文献１に開示された柱の立設方法が知られている。この方法は、地盤改良体に柱状体を差し込んで地盤改良体が固化するまで放置してから柱状体を引き抜くことにより埋設孔を形成した後、鉄骨柱の柱脚を埋設孔に建て込んで、これらの隙間に砂利などを投入して仮固定し、更にモルタルを注入することにより鉄骨柱を地盤改良体に固定するものである。
【先行技術文献】
【特許文献】
【０００３】
【特許文献１】特開２００６−３７３５０号公報
【発明の概要】
【発明が解決しようとする課題】
【０００４】
上述した従来の柱の立設方法は、埋設孔を形成するための地盤改良体の固化に時間がかかるだけでなく、埋設孔を形成した後も、埋設孔内における柱脚の位置決め作業や、砂利・モルタル等の注入作業が煩雑になり易いという問題があった。
【０００５】
そこで、本発明は、地盤への支柱の埋設を迅速容易に行うことができる支柱の固定方法の提供を目的とする。
【課題を解決するための手段】
【０００６】
本発明の前記目的は、掘削した土壌に固化材および水を供給して撹拌することにより地盤改良体を形成するステップと、未硬化の前記地盤改良体に支柱の脚部を埋め込んだ状態で前記支柱を保持具により保持し、前記支柱を起立状態に維持するステップと、前記地盤改良体の固化後に前記保持具による前記支柱の保持を解除するステップとを備える支柱の固定方法により達成される。
【発明の効果】
【０００７】
本発明によれば、地盤への支柱の埋設を迅速容易に行うことができる支柱の固定方法を提供することができる。
【図面の簡単な説明】
【０００８】
【図１】本発明の一実施形態に係る支柱の固定方法を説明するための概略工程図である。
【図２】図１に示す支柱の固定方法における一部の工程の変形例を示す概略図である。
【図３】固定された支柱に作用する力の一例を模式的に示す（ａ）側面図および（ｂ）平面図である。
【発明を実施するための形態】
【０００９】
以下、本発明の実施の形態について、添付図面を参照して説明する。図１は、本発明の一実施形態に係る支柱の固定方法を説明するための概略工程図である。まず、図１（ａ）に示すように、支柱を立設する箇所に撹拌掘削機１を設置する。撹拌掘削機１は、ロッド２の先端部（下端部）に掘削翼４、ノズル６および撹拌翼８を備えており、セメント系固化材を予め水と混合したスラリー液をノズル６から吐出しながらロッド２を進出させて、掘削翼４により地盤２０を掘削し、掘削した土壌を撹拌翼８によりスラリー液と混合する。ロッド２の先端が所定の深度まで到達した後、図１（ｂ）に示すように、ロッド２を引き上げながら逆方向に回転させて更に撹拌することにより、地盤に円柱状の地盤改良体３０を形成する。地盤改良体３０は、掘削土壌および粉体状のセメント系固化材を、現場で水と混合することによりスラリー状にして形成することもできる。また、図２（ａ）に示すように、予め土壌を掘削して形成した穴に、掘削土を投入しながら、セメント系固化材の粉体および水、あるいは、スラリー状にしたセメント系固化材を供給して混合・撹拌することにより、図２（ｂ）に示すように、地盤改良体３０を形成することもできる。
【００１０】
次に、図１（ｃ）に示すように、鉄骨柱などの支柱４０を地盤改良体３０の直上に保持できるように、保持具１０を設置する。保持具１０は、支持体１１，１１にそれぞれ移動可能に支持されて支柱２を両側から挟持可能な一対の挟持部材１２，１２と、支柱４０の上部を把持する把持部１４ａを有するクレーン１４とを備えており、クレーン１４により支柱４０を吊り下げて一対の挟持部材１２，１２の間に配置し、支柱４０の自重を利用して支柱４０の脚部４０ａを未固化の地盤改良体３０に所定の位置まで挿入する。そして、図１（ｄ）に示すように、支柱４０を所望の深さまで挿入した後、一対の挟持部材１２，１２を所定の位置に水平移動させることにより支柱４０を挟持する。
【００１１】
こうして、地盤改良体３０が固化して支柱４０が地盤改良体３０に強固に固定されるまで、保持具が備える一対の挟持部材１２，１２により支柱４０の起立状態を維持した後、図１（ｅ）に示すように、保持具１０を解体する等して除去することにより保持具１０による支柱４０の保持を解除する。こうして、支柱４０の固定作業が完了する。
【００１２】
地盤改良体３０の形状は、特に限定されるものではなく、本実施形態の円柱状以外に、例えばブロック状（直方体状）であってもよい。図３（ａ）および（ｂ）に示すように、支柱４０は、Ｎ（軸力）、Ｑ（水平力）およびＭ（曲げモーメント）を受けるため、地盤改良体３０の役割としては、これらの力を安全に地盤に伝達することが求められる。地盤改良体３０の大きさ（例えば、地盤改良体３０がブロック状の場合のＢ（横）、Ｌ（縦）、Ｈ（高さ））、および、支柱４０の埋め込み高さｈ１，ｈ２は、上述した存在応力（Ｎ，Ｑ，Ｍ）、地盤改良体の強度、および周囲の地盤強度により強度計算して、決定することができる。
【００１３】
本実施形態の支柱の固定方法によれば、掘削した土壌に固化材および水を供給して撹拌することにより地盤改良体を形成した後、この地盤改良体に支柱の脚部を直接挿入して埋設するようにしているので、従来のような地盤改良体に埋設孔を形成する工程が不要であり、支柱を所望の位置に迅速容易に固定することができる。
【符号の説明】
【００１４】
１０  保持具
２０  地盤
３０  地盤改良体
４０  支柱
【図１】
2016000925.tif 000003
【図２】
2016000925.tif 000004
【図３】
2016000925.tif 000005
(57)【要約】      （修正有）【課題】風車や水車のように自然条件によって稼働率が左右されない、又排気ガス等で地球の環境を悪くしない自動回転機を提供する。【解決手段】円盤１のＡ面（表）及びＢ面（裏）にレール７を互いに９０度になる様取り付け、レール７上を移動しやすいよう錘２を円盤１の裏表に１個づつ取り付ける。レール７端部の腕金具（Ｂ）先端にリールを１個づつ取り付け、錘２の両端にワイヤー５かチエン等を取り付け、リール４に繋ぐ。リール４には歯車３を取り付けリール４と歯車３は一体とする。腕金具（Ａ）先端のリールにも歯車を固定取り付けし、円盤１に組込む。これを３組、図１の様に筒状に組み立て回転するようにする【選択図】図１
2016183675.tif 000002
【特許請求の範囲】
【請求項１】
円盤にレール２本づつを円番Ａ面（表）Ｂ面（裏）に取り付け車を付けた錘をレールに組入れリールと歯車の１体に錘とを（ワイヤー）か（チエン）で繋ぐ、リールと歯車の一体と平ギヤーがＡ地点で噛み合いリールと歯車の一体が回転すれば、錘は上に引き上げられる。錘が上に上がれば自然の法則で錘は下に落ちる力で円番を回転させる  回転機
【請求項２】
上記の円番３組を芯を合せ円筒状に成るよう組立錘どうしは芯から３０度づつ、づらして組上げる。
この３組の円盤どうしが働き合い回転する、自動回転機
【請求項３】
錘の両端（上下）に（ワイヤー）か（チエン）等でリールと歯車の１体のリールに繋ぐ、錘は上に上がりＢ地点に来ると平ギヤーとリールと歯車の一体との噛み合いが解け錘が落ちるので８の止め金具で錘を固定する。
【請求項４】
円盤が回転しＡ地点に来ると平ギヤーと歯車が噛み合いリールが回りワイヤーで錘を引き上げる。上に移動した錘は自然の法則で下に落ちる力で円盤を回転させる。
【発明の詳細な説明】
【技術分野】
【０００１】本発明は燃料が無くても自然の力を利用した回転機。
【背景技術】
【０００２】燃料を使用しない物は風車や水車が有る又太陽光が有る。【０００３】風車ヤ水車又太陽光等は天気設置場所に作用される。
【発明の概要】
【発明が解決しようとする課題】
【０００４】排気ガス等を出し地球の環境を悪くし地球温暖化を少しでも少なくする。【０００５】本発明は地球に有る石炭や原油は資源には限界が有る。
これらの資源を少しでも節約したい。【０００６】本発明は燃料も使用しないので地球の環境を悪くしない。【０００７】水、風、燃料、天気、関係無いので設置場所が選び安い。
【課題を解決するための手段】
【０００８】物体が地球の引力により下に落ちる力を利用する事を目的とする。
【発明の効果】
【０００９】公害が大変少ない。【００１０】高級材料が少ない、機械構造が簡単なので、製作が低価額で製作も楽。
【図面の簡単な説明】
【００１１】
【図１】１円盤３組の組み合わせ図
【図２】１組の１円盤の正面図
【図３】４リール、３歯車、６平ギヤーの組図
【図４】１組の１円盤の側面図
【発明を実施するための形態】
【００１２】１枚の１円盤のＡ面（表）Ｂ面（裏）に１個づつ２錘を取り付ける、Ａ面（表）Ｂ面（裏）２錘どうしが９０度に成る様に取り付ける。
【００１３】２錘には車を４ヶ所付ける
２錘は動きしやすい様１円盤に７レールを取り付ける。
【００１４】２錘の両端、（上）（下）に５（ワイヤー）か（チエン）等で４リールに繋ぐ。
【００１５】４リールには３歯車を取り付け４リールと３歯車は１体とする。
【００１６】この１円盤を３組芯を合わせ各１円盤の、Ａ面（表）どうしの２錘を３０度ずつずらして円筒に成るように組む。
【００１７】１円盤が回転し３歯車が〈Ａ〉地点に来ると、６平ギヤーと３歯車が噛み合い４リールが回る。
【００１８】４リールが回ると５（ワイヤー）（チエン）等で２錘を引き上げ始め〈Ｂ〉地点で２錘の引き上げ終了。  ［図１］［図２］
【００１９】３歯車４リールが〈Ｂ〉地点で６平ギヤーから外れると、２錘が自重で下がるので８止め金具で下がりを防止する。  ［図２］
【００２０】１円盤が回転し〈Ｃ〉地点に３歯車４リールが来ると８止め金具のイの部分がロの部分より重量が有るので爪の部分が３歯車から外れ２錘の巻き上げの用意が出来る。  ［図３］
【００２１】上記の動作を順次繰り返し１円盤が回転を続ける。
【００２２】この自動回転機を利用し発電機とこの回転機を、ベルト、チエン、歯車等で連結し発電機の源動力にしたい。
【符号の説明】
【００２３】１      円盤
２      錘
３      歯車
４      リール
５      ワイヤー
６      平ギヤー
７      レール
８      止め金具
９      支柱
１０    平ギヤーの支柱
１１    １円盤の繋ぎ金具
１２    ベアリング
１３    錘の車
【図１】
2016183675.tif 000003
【図２】
2016183675.tif 000004
【図３】
2016183675.tif 000005
【図４】
2016183675.tif 000006
(57)【要約】【課題】軽量、柔軟性に富み、耐候性に優れた放射線遮蔽素材の開発を促進する。評価試験をする前に放射線遮蔽素材の新規開発において遮蔽効果を予測できること。【解決手段】質量減弱係数が０．０５〜０．０９で線減弱係数が０．０７〜０．３０の放射線遮蔽素材、主たる原料はシリコーン、エラストマー、樹脂、複合材が好ましい。【選択図】なし【特許請求の範囲】
【請求項１】
質量減弱係数が０．０５〜０．０９で線減弱係数が０．０７〜０．３０の放射線遮蔽素材、主たる原料はシリコーン、エラストマー、樹脂、複合材。
【請求項２】
質量減弱係数が０．０５〜０．０９で線減弱係数が０．３０〜０．８０の放射線遮蔽素材、主たる原料はシリコーン、エラストマー、樹脂、複合材。
【請求項３】
線減弱係数が０．０６〜０．３０の放射線遮蔽素材、主たる原料はシリコーン、エラストマー。
【請求項４】
線減弱係数が０．０６〜０．３０の放射線遮蔽素材、主たる原料はシリコーン、エラストマー、樹脂、複合素材。
【請求項５】
線減弱係数が０．３０〜０．８０の放射線遮蔽素材、主たる原料はシリコーン、エラストマー、樹脂、複合素材
【請求項６】
請求項１に記載の放射線遮蔽シート、放射線防護服、放射線遮蔽建築材。
【請求項７】
請求項２に記載の放射線遮蔽シート、放射線防護服、放射線遮蔽建築材。
【請求項８】
請求項２に記載の放射線遮蔽シート、特に中間貯蔵施設で使用。
【請求項９】
請求項２に記載の放射線遮蔽シート、特に原子力発電施設で使用。
【請求項１０】
請求項２に記載の放射線遮蔽シート、特に医療施設で使用。
【発明の詳細な説明】
【技術分野】
【０００１】  本発明は、放射線遮蔽に関するものである。
【背景技術】
【０００２】  放射線遮蔽素材は、原子力施設、医療施設において作業者を放射線から防護する手段が必要とされている。特にガンマ（γ）線は透過力が強く、厚みのある鉛板でしか防ぐことができないと言われている。【０００３】  一般に比重の高い物質はガンマ線の遮蔽に優れているため、従来は金属鉛、金属鉛を含有する素材がガンマ線の遮蔽材として利用されてきた。しかし、金属鉛には吸引毒性という人体毒性があり廃棄の時にも環境負荷が大きいといわれている。
そこで、金属鉛に代わる物質としてタングステンを含む素材が提案されている（特許文献１，２）。【０００４】  一般に作業者の全身を覆う放射線防護服では金属元素を含有させて特殊素材やタングステンを網目にした素材での加工製品がある。また放射能汚染された核廃棄物などを貯蔵する中間貯蔵施設の建設ではコンクリートによる施設の建設と防水シートの提案がされている。【０００５】  一方で作業者の全身を覆う放射線防護服に対する軽量で遮蔽性能がある新素材の要求がある。また原子力発電所で生じた放射能汚染された核廃棄物などを貯蔵する中間貯蔵施設の建設においても防水シートでは賄えない放射線遮蔽性能を有するシートに対する要求がある。また中間貯蔵施設の建設時には建設途中に運搬するトラックの荷台幌や中間貯蔵施設の仮蓋の要求もある。
【先行技術文献】
【特許文献】
【０００６】
【特許文献１】特開平０８−１１０３９３号公報
【特許文献２】特開２００３−９６２４０号公報
【発明の概要】
【発明が解決しようとする課題】
【０００７】  上記文献にある放射線遮蔽素材は高いエネルギーのガンマ（γ）線（たとえばセシウム１３７から放出されるガンマ線エネルギーは６６２ＫｅＶである。）に対する十分な遮蔽性能を持ち加工性にも優れ、耐候性にも優れた素材は無かった。
【課題を解決するための手段】
【０００９】  本発明は、
より薄く軽量で柔軟性に富む放射線遮蔽素材を効率よく開発するのに必要な放射線遮蔽実験と素材開発方法をシステムとして提供することが特徴である。
【発明の効果】
【００１０】  本発明は基盤となる素材と遮蔽効果をもたらす金属系元素や化合物の間で見いだされた関係式を提供する。
【発明を実施するための形態】
【００１２】  以下に本発明の実施形態についてはシリコーン、エラストマー、金属元素、化合物、金属元素を含む化合物、酸化物、混合物を使用する。
本発明は以下の実施形態に何ら限定されるものではなく、本発明の目的範囲において適宜変更を加えて実施することができる。
【実施例】
【００１３】    以下、実施例により本発明をより具体的に説明するが、本発明はこれらの実施例により限定されるものではない。【００１４】    〈実施例１〜１４〉
シリコーンゴム、エラストマー、金属元素、金属化合物、酸化物を用いて様々な配合で均一に混錬して遮蔽素材を調整した。【００１５】  〈ガンマ線の質量減弱係数の測定〉
放射線源としてユウロピウム（Ｅｕ）１５２、セシウム（Ｃｓ）１３７を用いて鉛ブロック製のコリメータの反対側にＧｅ半導体検出器を配置した。前期コリメータと前記検出器との間に、シート状の試験体（開発したい素材）を置き３００〜７００ＫｅＶの範囲のガンマ線スペクトルを測定した。【００１６】各試料について質量減弱率と線減弱率を計算した。
γ線またはＸ線が物質を通過すると、物質との相互作用（光電吸収、コンプトン散乱および電子対生成）により減弱される。入射光子の数をＩ０とし、それが物質の深さｘのところでＩとなったとすると、Ｉ＝Ｉ０・ｅ−μｘなる関係式が導かれる。この式において、μが線減弱係数である。μの単位はｍ−１やｃｍ−１などである。なお、線減弱係数を物質の密度で除したものが質量減弱係数である。【００１７】一定方向に進む単色Ｘ線が厚さｘの物体を通過する際、Ｘ線の強度の減少量ｄＩはあたったＸ線の強度Ｉと吸収帯の厚さｄｘとに比例すると考えられる。
μは物質による比例定数で減弱係数と呼ばれる。μがｘに関係しなければ、この式を積分して，Ｃは積分定数
もしｘ＝０のときの強度をＩｏとすれば、Ｃ＝ｌｏｇ  Ｉｏであることがわかる。したがって、μは同じ物質でも密度により異なり、その値は密度に比例するため、次の質量減弱係数μｍを定義できる。
この質量減弱係数μｍは状態にかかわらず物質で一定である。
【表１】
2016183951.tif 000002
【００１８】  本発明の実施例の素材のガンマ線に対する質量減弱係数、線減弱係数から素材の密度と比重が重要な要素であることが示された。
質量減弱係数と線減弱係数を推測することで基盤素材の原料や添加物質の種類に関係なく、放射線遮蔽素材を開発できる。
(57)【要約】      （修正有）【課題】バスツアー等の時、目標が安易に確認でき、迷う人や遅刻者が大幅に少なくなる、駐車位置表示ポール装置を提供する。【解決手段】バスの屋根より高くサインポール３を伸ばし、先端部にランプ４を点灯又は点滅させることにより遠くからでも容易に確認でき、電動式で伸縮し、走行中は収縮させ、風又は街路樹等による損傷をさける。装置のコントロールボックス１は、バッテリーを内蔵し、追加孔明け加工をせずバックミラーステー等に取り付け金具２で挟持させる。容易に手が届き悪戯されるのを防ぐため、少し高い位置に取り付ける。サインポールの伸縮及びランプの点灯又は点滅は、下部の作動用プルスッチ６を、係員がプルスイッチ作動用伸縮ロッド等を用いて作動させる。類似装置を保有した車との識別は、ランプの色又は点滅間隔等の違いで行う。【選択図】図２
2016119035.tif 000002
【特許請求の範囲】
【請求項１】
バス等の屋根より高く、先端部にランプを点灯又は点滅させた、ポールを伸ばし、大型駐車場等で、遠くからでも、戻る車の位置を容易に、確認できる  サインポール装置
【発明の詳細な説明】
【発明の概要】
【発明が解決しようとする課題】バスツアー等のとき、大型駐車場等で  自分のバスにもどる時  多くのバス等で目標が、わかり難く集合時間に遅刻者が出る事がある
【課題を解決するための手段】１  バスの屋根（図１）より高くポール（図２  ▲３▼）を伸ばし先端部にランプ（図２  ▲４▼）を点灯又は点滅させることにより  遠くからでも容易に確認できる
２  この表示ポールは  電動式で伸縮出来  走行中は収縮させ  風または街路樹等による損傷をさける
３  この装置（図２  ▲１▼）は  バッテリーを内蔵し  取り付けには  追加孔明け加工をせず  バックミラーステー等に  取り付け金具（図２  ▲２▼）で挟持させる
４  この装置（図２  ▲１▼）に容易に手が届くと  悪戯されるのを  防ぐため  少し高い位置に取り付ける  ポールの伸縮及びランプの点灯、点滅は  装置下部のプルスッチ（図２  ▲６▼）を係員が  プルスイッチ作動用伸縮ロッド（図３  ▲７▼）等を用いて  作動させる
５  類似装置を保有した車との識別には  ランプの色又は点滅間隔等の違いで充分識別は  可能である
【図面の簡単な説明】
【図１】  本発明装置をバスのバックミラーステーに取り付け  伸縮サインポールを伸ばした状態の図
【図２】  サインポール伸縮駆動モーター、ソーラー充電パネル、バッテリー、ＬＥＤランプ作動回路内蔵のコントロールボックス
【図３】  コントロールボックス下部のプルスイッチ作動用伸縮ロッド▲１▼  コントロールボックス
▲２▼  取り付け金具（バックミラーステーに  コントロールボックスを  挟持する）
▲３▼  伸縮ロッド（サインポール）
▲４▼  ＬＥＤランプ
▲５▼  ソーラーパネル
▲６▼  作動用プルスイッチ
▲７▼  プルスイッチ作動用伸縮ロッド
【図１】
2016119035.tif 000003
【図２】
2016119035.tif 000004
【図３】
2016119035.tif 000005
(57)【要約】【課題】  従来、帯の生地を使ったバッグやタペストリーは、数はとても少ないが販売されていた。しかしどちらも値段が高くあまり買われていなかった。【解決手段】  長方形状の帯地本体２と、その左右に設けた左ファスナー３と右ファスナー４、及び、持ち手５、６からなり、左ファスナー３は、帯地本体２の左側面にほどこしたエレメント３１と、帯地本体２の中央部に配置したスライダー３２からなり、右ファスナー４は、帯地本体２の右側面にほどこしたエレメント４１と、帯地本体２の中央部に配置したスライダー４２からなり、帯地本体の両側には持ち手５、６を備え、ファスナーを開閉することで、バッグに変換できるようにしたことを特徴とするタペストリー。【選択図】図１
2016119945.tif 000002
【特許請求の範囲】
【請求項１】
長方形状の帯地本体２と、その左右に設けた左ファスナー３と右ファスナー４、及び、持ち手５、６からなり、左ファスナー３は、帯地本体２の左側面にほどこしたエレメント３１と、帯地本体２の中央部に配置したスライダー３２からなり、右ファスナー４は、帯地本体２の右側面にほどこしたエレメント４１と、帯地本体２の中央部に配置したスライダー４２からなり、帯地本体の両側には持ち手５、６を備え、ファスナーを開閉することで、バッグに変換できるようにしたことを特徴とするタペストリー。
【発明の詳細な説明】
【技術分野】
【０００１】
本発明は、バッグや、ラックやテーブルセンタークロスに変換できるタペストリーに関する。
【背景技術】
【０００２】
従来、タペストリー、バッグ、ラック、テーブルセンタークロスは別々の目的で取り扱われており、それだけの機能しか持たなかった。
【発明の概要】
【発明が解決しようとする課題】
【０００３】
従来、帯の生地を使ったバッグやタペストリーは、数はとても少ないが販売されていた。しかし、どちらも値段が高くあまり買われていなかった。日本のお土産品で、布を使った物は風呂敷や手ぬぐい、巾着袋等が一般的であり、目新しい品物は創出されていなかった。近年着物を着る人が減り、帯を巻く機会が少なくなっている。従って、帯の需要が落ち込んでいるという課題があった。
【０００４】
この発明が解決しようとする課題は、この帯地を使ってタペストリー、テーブルセンタークロス、バック、ラックと４通りの使い方が楽しめる、多機能なタペストリーを提供することであり、それを通して日本の美しい伝統装飾品を継承していくことである。
【課題を解決するための手段】
【０００５】
長方形状の帯地本体２と、その左右に設けた左ファスナー３と右ファスナー４、及び持ち手５、６からなり、左ファスナー３は、帯地本体２の左側面にほどこしたエレメント３１と、帯地本体２の中央部に配置したスライダー３２からなり、右ファスナー４は、帯地本体２の右側面にほどこしたエレメント４１と、帯地本体２の中央部に配置したスライダー４２からなり、帯地本体の両側には持ち手５、６を備えることを特徴とするタペストリー。
【発明の効果】
【０００６】
タペストリー、テーブルセンタークロス、バッグ、ラックの４通りの使い方が楽しめる多機能タペストリーを提供することができる。
【図面の簡単な説明】
【０００７】
【図１】本発明のタペストリーの構成
【図２】本発明のタペストリーから変形したバッグ（ａ）  変形する前  （ｂ）変形後
【図３】図２のバッグから変形したラック（ａ）  変形する前    （ｂ）変形後
【発明を実施するための形態】
【０００８】
本発明のタペストリー１は、長方形状の帯地本体２と、その左右に設けた左ファスナー３と右ファスナー４、及び持ち手５、６からなる。
左ファスナー３は、帯地本体２の左側面にほどこしたエレメント３１と、帯地本体２の中央部に配置したスライダー３２からなる。
右ファスナー４は、帯地本体２の右側面にほどこしたエレメント４１と、帯地本体２の中央部に配置したスライダー４２からなる。
帯地本体の上下に持ち手５、６を備える。
【０００９】
帯の生地を長方形状に切り、左右にファスナーを取り付ける。両端をほつれないように処理し、上下に持ち手を設ける。ファスナーを完全に下した状態で、スライダーを内側中央に入れると一枚の平らな布になり、一方の持ち手を壁に掛けるとタペストリーになる。持ち手を内側に畳むと、テーブルセンタークロスにも利用可能である。長方形状の帯に生地を、Ｐ１、Ｐ２のように中央で折り曲げて、左右をあわせてファスナーを上まであげるとバッグになる。ファスナーを上から１/３下ろし片面の布を内側に折り込むとラックになる。このように、タペストリー、テーブルセンタークロス、バッグ、ラックの４通りの使い方が楽しめる。色々な使い方が出来るため、購買意欲がそそられ、日本の新しいお土産品として定着する可能性がある。
【符号の説明】
【００１０】
１  タペストリー
２  帯地本体
３  ファスナー
３１  エレメント
３２  スライダー
４  ファスナー
４１  エレメント
４２  スライダー
５  持ち手
６  持ち手
Ｐ１、Ｐ２  折り畳み方向
【図１】
2016119945.tif 000003
【図２】
2016119945.tif 000004
【図３】
2016119945.tif 000005